(57)【特許請求の範囲】
【請求項１】
縁材本体の底面に、多数の細長い孔で構成された換気口を有し、かつ、この孔が、両縁に切込みを入れた押込み加工で形成されていて、火炎が一気に吹き込まない換気口用縁材において、
縁材本体は、換気口の上方部が開放されていて、この開放部の両外側に、底面と平行に延び出すように上面板が設けられ、かつ、一方の上面板には折返し部が形成されており、
換気口の上方後背位置に通気間隔を開けて、平板状の遮蔽板が、縁材本体底面と平行に配置され、
この遮蔽板は、その後端部が、前記の折返し部に挿し込まれて、片持状態で支持され、また、その先端部は、前記の換気用の孔を越えた位置まで延び出して、縁材本体の底面と平行に固定され、かつ、その先端側には、通気のための間隙が形成されるように配置されることにより、縁材本体との間に換気口から続く通気路が形成され、
更に、この遮蔽板の先端部下面には、耐火性の加熱膨張部材が取付けられ、
平常時には、通気を許容し、かつ、遮蔽板が、換気口から天井裏が見えるのを防止する目隠しの役目と、換気口から浸入した雨水が天井裏に浸入するのを防止する水返しの役目とを果たし、
火災発生時には、加熱膨張部材を膨張させて、通気路を遮断する換気口用縁材。
【請求項２】
縁材本体底面の背面に、換気口を囲むように別個の加熱膨張部材を取付けた請求項１記載の換気口用縁材。
【発明の詳細な説明】
【０００１】
【発明の属する技術分野】
この発明は、住宅などの建物の軒天井などに使用する換気口用の縁材に関する。
【０００２】
【従来の技術】
例えば、軒天井に、屋根裏換気の為に換気口付き見切り縁材を用いることは、既に本発明者によって提案されている。この見切り縁材は、天井板の軒先側や壁側の端縁に取付けられ、その板面には、適所に換気口が形成されている。しかし、軒先は、火災の際に、隣家からの延焼を最も受け易い箇所である為、換気口については、その総面積や個々の孔の大きさなどに対し種々の規制が設けられている。前記の既提案の側では、１個の換気口を多数の細長い孔で構成し、かつ、各孔を押込み加工によって形成する方式を採っている。
【０００３】
ところが、従来の換気用見切り縁材では、換気口が常時、開放状態にある為、火災発生時には、火炎が換気口を通って屋根裏へ入り、延焼を招き易いという問題がある。特に、住宅などでは、外装材には難燃材が用いられていても、内装材は通常の木材であるので、屋根裏などの内部に火が入ると、極めて延焼し易い。
【０００４】
【発明が解決しようとする課題】
本発明は、このような点に鑑み、火災時には換気口を自動的に閉じるようにして、火炎が屋内に入るのを阻止する、防火性に優れた換気口用縁材を提供するにある。
【０００５】
【発明が解決しようとする手段】
本発明の縁材の技術的手段は、縁材本体の底面に、多数の細長い孔で構成された換気口を有し、かつ、この孔が、両縁に切込みを入れた押込み加工で形成されていて、火炎が一気に吹き込まない換気口用縁材において、縁材本体は、換気口の上方部が開放されていて、この開放部の両外側に、底面と平行に延び出すように上面板が設けられ、かつ、一方の上面板には折返し部が形成されており、換気口の上方後背位置に通気間隔を開けて、平板状の遮蔽板が、縁材本体底面と平行に配置され、この遮蔽板は、その後端部が、前記の折返し部に挿し込まれて、片持状態で支持され、また、その先端部は、前記の換気用の孔を越えた位置まで延び出して、縁材本体の底面と平行に固定され、かつ、その先端側には、通気のための間隙が形成されるように配置されることにより、縁材本体との間に換気口から続く通気路が形成され、更に、この遮蔽板の先端部下面には、耐火性の加熱膨張部材が取付けられ、平常時には、通気を許容し、かつ、遮蔽板が、換気口から天井裏が見えるのを防止する目隠しの役目と、換気口から浸入した雨水が天井裏に浸入するのを防止する水返しの役目とを果たし、火災発生時には、加熱膨張部材を膨張させて、通気路を遮断することにある。
【０００６】
また、縁材本体底面に、換気口を囲むように別個の加熱膨張部材を取付けてもよい。
【０００７】
【発明の実施の形態】
本発明の縁材の実施の形態を、図面の実施例に基づいて説明する。図１に、軒天井換気用見切り縁材に用いた例の断面図が示されている。見切り縁材１の材質は、ステンレス鋼板などの金属材製である。見切り縁材１には、適当な間隔で換気口２が設けられていて、この各換気口２は、図２に示されるように多数の細長い孔３で構成されている。また、この孔３は、両縁に切込みを入れた押込み加工で形成されていて、火災が一気に吹き込まないように配慮されている。
【０００８】
４は遮蔽板で、換気口２の後背位置に、適当な通気間隔を開けて設けられている。この遮蔽板４は片持状態で縁材本体に固定されていて、先端側には通気の為の間隙５ができるように配されている。また、遮蔽板４の先端部には、加熱膨張部材６が全長に互って取付けられている。この加熱膨張部材６は、一定の高温、例えば２００℃以上に加熱されると、厚さ方向に数倍〜数十倍に膨張するものであり、一般に市販提供されているものを用いる。例えば、合成樹脂基材にリン化合物、熱膨張性黒鉛などを含有させてなるものが市販提供されている。
【０００９】
７は補足の為に見切り縁材１の本体の側に設けられた加熱膨張部材で、図２に示されるように、換気口２の周囲をコ字形に囲むように取付けられている。従って、火災時には、前記の膨張部材６と共に、この膨張部材７が膨張し、各換気口２の周囲を囲むようにして通気路を断つ。
【００１０】
図３は見切り縁材１を軒天井の軒先の方に取付けた状態で、図中、１１は天井板、１２は野縁、１３は鼻隠し、１４は鼻隠し下地である。平常時には、加熱膨張部材６は薄くて、邪魔にならないので、図示の矢印Ａのように、外気は換気口２及び間隙５を通って、屋根裏へと自由に流れ込むことができる。しかし、火災発生時には、膨張部材６が熱を受けて、図４のように膨張して、遮蔽板４と見切り縁材本体１との間の通気間隙を塞いでしまうので、図示の矢印Ｂのように火炎の侵入を遮断する。この膨張部材６は耐火性であるので、この遮断状態を長時間保持できる。なお、図３、図４には、補足の加熱膨張部材７は図示されていないが、この部材７も同時に膨張して、各換気口２の周囲を個々に囲むようになるので、一層、確実に火炎の侵入を遮断できる。
【００１１】
前記の遮蔽板４は、換気口２の背後に位置するので、換気口を通して、天井裏が見えるのを防止する目隠しの役目と、風雨の強い時に、雨水が天井裏に侵入するのを防止する水返しの役目とを同時に果たすことができる。
【００１２】
本発明は前記の実施例に限定されるものではなく、特許請求の範囲の記載の範囲内で自由に変形実施可能である。特に、見切り縁材１の外形状や、換気口２の孔形状、更に遮蔽板４の形状や加熱膨張部材６の種類などは自由である。更に、本発明は、見切り縁材の他、換気口を有する縁材に広く利用でき、例えば、壁の下端に用いる換気口付き水切りなどにも利用可能である。
【００１３】
本発明の縁材は、換気口から続く通気路に、加熱膨張部材が取付けられていて、火災発生時には、火災の熱を受けて膨張し、通気路を遮断するので、火炎が屋内に入ることがなく、隣家火災時などにおける延焼を抑制できる。更に、加熱膨張部材は、耐火性であるので、遮断状態を確実に保持でき、信頼性が高い。更に、本発明では、換気口が、縁材本体の底面に、多数の細長い孔で構成され、かつ、この孔は、両縁に切込みを入れた押込み加工で形成されていて、当然に、火炎の一気の吹き込み防止機能の他に、目隠しや水返しの機能はあるが、本発明では、換気口の上方後背位置に通気間隔を開けて、平板状の遮蔽板を、換気口の孔を越える位置まで、平行に配置したことにより、孔の上方を完全に覆っているので、火炎の一気の吹き込み防止の強化と、換気口から天井裏が見えるのを防止する目隠しの役目、及び、風雨の強い時に、雨水が天井裏に浸入するのを防止する役目とを、一層よく果たすことができ、商品価値が高まる。
【００１４】
その上、本発明では、換気口の設けられた縁材本体底面と、平板状の遮蔽板とが、通気間隔を開けて平行に配置されていて、この間に形成された通気路には、通気を妨げる要素がなく、高い通気性能を得ることができる。更に、遮蔽板は、その後端部を、縁材本体の上面板に形成された折返し部に挿し込んで、片持状態で支持する形式であるから、通気路の形成を含めて構造が簡単となり、廉価に製造可能である。更に、遮蔽板の先端部は、換気用孔を越えた位置まで延び出していて、その先端部下面には、加熱膨張部材が取り付けられているので、火炎が浸入してきた時には、部材が膨張して、縁材本体底面に接触し、通気路を確実に遮断するようになる。
【００１５】
請求項２のものでは、換気口を囲むように別個の加熱膨張部材が付いているので、通気遮断を一層確実に行うことができる。
【図面の簡単な説明】
【図１】軒天井換気用見切り縁材に用いた実施例の断面図。
【図２】  見切り縁材の換気口の形状を示す背面図。
【図３】見切り部材の取付状態を示す断面図。
【図４】火災時の状態を示す断面図。
【符号の説明】
１          見切り縁材
２          換気口
３          孔
４          遮蔽板
５          通気間隙
６、７      加熱膨張部材
【図１】
0004722282.tif 000002
【図２】
0004722282.tif 000003
【図３】
0004722282.tif 000004
【図４】
0004722282.tif 000005